(57)【要約】一般的な形状のバケットであっても、薬袋から注射剤が零れ出ることを防止しつつ、十分な数量を移送する。支持部材５により、注射薬を収容された薬袋３の一方の面を、上端開口部から折り曲げ代を残して支持する。上下動可能な保持部材６のガイド部２６により、前記薬袋３の他方の面を、少なくとも上端開口部から前記折り曲げ代を超える所定範囲でガイドする。また、前記ガイド部２６に沿って上下動可能な押圧部２７を下動させることにより、前記薬袋３を前記支持部材５に沿って折り曲げて押圧する。前記押圧部２７の摩擦係数を前記支持部材５に比べて大きくしているので、前記保持部材６を上動させると、前記薬袋３のみをガイド部２６と押圧部２７との間に挟持して持ち上げることができる。
2003059744.tif 000002
【特許請求の範囲】
【請求項１】
注射薬を収容された薬袋の一方の面を、上端開口部から折り曲げ代を残して支持する支持部材と、
前記薬袋の他方の面を、少なくとも上端開口部から前記折り曲げ代を超える所定範囲でガイドするガイド部、及び、該ガイド部に沿って上下動可能で、下動することにより前記薬袋を前記支持部材に沿って折り曲げて押圧する押圧部を有する上下動可能な保持部材とを備え、
少なくとも前記押圧部の摩擦係数を前記支持部材に比べて大きくすることにより、前記保持部材を上動させて前記薬袋のみをガイド部と押圧部との間に挟持して持ち上げ可能な構成としたことを特徴とする薬袋移送装置。
【請求項２】
前記支持部材は、前記保持部材のガイド部と押圧部との間に挟持される部分が一端部を中心として回動可能な回動片で構成したことを特徴とする請求項１に記載の薬袋移送装置。
【請求項３】
前記支持部材は、下端部を中心として回動可能に設けられ、薬袋が供給されたことを検出する薬袋検出手段と、該薬袋検出手段により薬袋が検出されることにより前記支持部材を回転駆動させる駆動手段と、前記保持部材のガイド部との間に薬袋を挟持した状態まで前記支持部材が回動したことを検出する回動位置検出手段とを備えたことを特徴とする請求項１又は２に記載の薬袋移送装置。
【請求項４】
前記保持部材は、水平移動可能で、保持した薬袋をバケットに移送した際、水平移動に伴って薬袋の一方の面に当接する回動自在な当接片を備えたことを特徴とする請求項１乃至３のいずれか１項に記載の薬袋移送装置。
【請求項５】
前記保持部材は、ガイド部の下端部に、下方に向かうに従って徐々に押圧部とは反対側に傾斜する傾斜面を備え、押圧部を、前記ガイド部の傾斜面に沿って移動させることにより、保持した薬袋を、折り曲げ側が下方となるように傾斜可能としたことを特徴とする請求項１乃至４のいずれか１項に記載の薬袋移送装置。
【請求項６】
前記保持部材は、当接片によって薬袋をバケットの底面との間に保持した後、該薬袋の上方折り曲げ側を押える弾性押圧片をさらに備えたことを特徴とする請求項４に記載の薬袋移送装置。
【請求項７】
注射薬を収容された薬袋の一方の面を、上端開口部から折り曲げ代を残して支持する支持部材と、
回動可能に設けた一対の挟持アームの先端に挟持ローラをそれぞれ備え、水平移動することにより、一方の挟持ローラで前記薬袋の折り曲げ代部分を折り曲げ、両挟持ローラを前記支持部材の両側に位置するように下動させることにより前記薬袋を２つ折りして保持する上下動可能な保持部材とを備え、
少なくとも前記挟持ローラの摩擦係数を前記支持部材に比べて大きくすることにより、前記保持部材を上動させて前記薬袋のみを両挟持ローラの間に挟持して持ち上げ可能な構成としたことを特徴とする薬袋移送装置。
【請求項８】
前記保持部材は、前記薬袋の状況に応じて挟持アームの回動角度を変更可能であることを特徴とする請求項７に記載の薬袋移送装置。
【発明の詳細な説明】
技術分野
本発明は、薬袋移送装置に関するものである。
背景技術
従来、アンプル等の注射剤を収容された薬袋をバケット内に移送するための装置として、例えば、特開平１１−１５２１１３号公報に、注射剤を収容した薬袋を、回動可能に設けたベルトコンベアによってバケットに形成した各収容室にそれぞれ移送可能とした構成が開示されている。
しかしながら、前記従来の構成では、収容した注射剤が薬袋から零れ出ないように、薬袋を立直状態でしかも容易に収容できるようにバケット内の各収容室を形成しなけばならない。このため、収容可能な薬袋の数量が大幅に制限され、又、特殊形状のバケットを用意する必要が生じる。また、このような特殊形状のバケットを使用しなければ、薬袋から注射剤が零れ出ることは避けられない。
発明の開示
そこで、本発明は、一般的な形状のバケットであっても、薬袋から注射剤が零れ出ることを防止しつつ、十分な数量を移送することのできる薬袋移送装置を提供することを課題とする。
本発明は、前記課題を解決するための手段として、薬袋移送装置を、
注射薬を収容された薬袋の一方の面を、上端開口部から折り曲げ代を残して支持する支持部材と、
前記薬袋の他方の面を、少なくとも上端開口部から前記折り曲げ代を超える所定範囲でガイドするガイド部、及び、該ガイド部に沿って上下動可能で、下動することにより前記薬袋を前記支持部材に沿って折り曲げて押圧する押圧部を有する上下動可能な保持部材とを備え、
少なくとも前記押圧部の摩擦係数を前記支持部材に比べて大きくすることにより、前記保持部材を上動させて前記薬袋のみをガイド部と押圧部との間に挟持して持ち上げ可能な構成としたものである。
この構成により、ガイド部材と保持部材のガイド部との間に薬袋を位置させ、押圧部によって薬袋の折り曲げ代を折り曲げて押圧することができる。保持部材を上動させると、摩擦係数の違いから支持部材が脱落し、薬袋はガイド部と押圧部との間に挟持された状態で移送される。
前記支持部材は、前記保持部材のガイド部と押圧部との間に挟持される部分が一端部を中心として回動可能な回動片で構成するのが好ましい。
この構成によれば、保持部材の上動に伴って回動片が徐々に回動し、薬袋に作用する支持部材の摩擦力が徐々に軽減される。したがって、保持部材によりスムーズに薬袋を保持して移送させることが可能となる。
前記支持部材は、下端部を中心として回動可能に設けられ、薬袋が供給されたことを検出する薬袋検出手段と、該薬袋検出手段により薬袋が検出されることにより前記支持部材を回転駆動させる駆動手段と、前記保持部材のガイド部との間に薬袋を挟持した状態まで前記支持部材が回動したことを検出する回動位置検出手段とを備えると、注射剤を収容した薬袋を、自動的に、かつ、スムーズに、保持部材による移送動作に移行させることが可能となる点で好ましい。
前記保持部材は、水平移動可能で、保持した薬袋をバケットに移送した際、水平移動に伴って薬袋の一方の面に当接する回動自在な当接片を備えると、薬袋の折り曲げ部分が既にバケット内に移送された薬袋との間に位置させることができ、注射剤が零れ出ることを確実に防止可能となる点で好ましい。
前記保持部材は、ガイド部の下端部に、下方に向かうに従って徐々に押圧部とは反対側に傾斜する傾斜面を備え、押圧部を、前記ガイド部の傾斜面に沿って移動させることにより、保持した薬袋を、折り曲げ側が下方となるように傾斜可能とすると、薬袋を確実に横向きとしてバケット内に水平となるように収容することができる点で好ましい。
前記保持部材は、当接片によって薬袋をバケットの底面との間に保持した後、該薬袋の上方折り曲げ側を押える弾性押圧片をさらに備えると、バケット内の薬袋の折り曲げ部分の開放を確実に防止することが可能となる点で好ましい。
また、発明は、前記課題を解決するための手段として、薬袋移送装置を、
注射薬を収容された薬袋の一方の面を、上端開口部から折り曲げ代を残して支持する支持部材と、
回動可能に設けた一対の挟持アームの先端に挟持ローラをそれぞれ備え、水平移動することにより、一方の挟持ローラで前記薬袋の折り曲げ代部分を折り曲げ、両挟持ローラを前記支持部材の両側に位置するように下動させることにより前記薬袋を２つ折りして保持する上下動可能な保持部材とを備え、
少なくとも前記挟持ローラの摩擦係数を前記支持部材に比べて大きくすることにより、前記保持部材を上動させて前記薬袋のみを両挟持ローラの間に挟持して持ち上げ可能な構成としたものである。
この構成により、簡単な構成であるにも拘わらず、薬袋の開口部を確実に折り曲げて保持し、移送することが可能となる。
前記保持部材は、前記薬袋の状況に応じて挟持アームの回動角度を変更可能とすると、薬袋を移送して載置する際、開口部を開放させないスムーズな動作を実現可能となる点で好ましい。
発明を実施するための最良の形態
以下、本発明に係る実施形態を添付図面に従って説明する。
（第１実施形態）
図１は、第１実施形態に係る薬袋移送装置１を示す。この薬袋移送装置１は、アンプル等の注射剤２（図３（ａ）参照）を収容された薬袋３を自動搬送用のバケット４に移送するためのもので、大略、支持部材５と保持部材６とで構成されている。薬袋３は、図３に示すように、紙製シート７に樹脂製フィルム８を両側及び下縁の３辺で貼着した袋状のもので、フィルム８には収容する注射剤２に関する情報（例えば、薬剤名、数量等）が印刷されている。
支持部材５は、両側部が直角に折り曲げられたステンレス等からなる支持プレート９を、下端の支軸９ａを中心として図示しない回動用モータの駆動により回動可能に設けたものである。支持プレート９の上端部は、図５に示すように、支軸１１ａを中心として回動自在な回動片１１で構成されている。支持プレート９の高さ寸法は、薬袋３を支持した状態で、上端縁から薬袋３の折り曲げ部分が突出する値に設定されている。支持プレート９の中央部には薬袋検出センサ１２が設けられ、供給される薬袋３の有無を検出可能となっている。また、前記支軸９ａには被検出円板１３が設けられ、この被検出円板１３を回動位置検出センサ１４で検出することにより支持プレート９の回動位置を検出可能となっている。支持部材５は、斜めに傾斜した薬袋３の受取位置（図３（ａ）２点鎖線）と、垂直方向に回動した受渡位置（図１及び図３（ａ）実線）との間を回動可能である。
保持部材６は、図２に示すように、ガイドプレート１５に押圧アーム１６を回動及び昇降可能に設けたものである。ガイドプレート１５は、保持プレート１７に設けられ、Ｙ軸サーボモータ１８を駆動することにより上下方向に延びるスライドレール１９に沿って昇降する。また、保持プレート１７は、図１に示すように、Ｘ軸サーボモータ２０を駆動することにより棒ねじ２１を介して水平方向に移動する。これにより、保持部材６は、Ｙ軸方向（垂直方向）及びＸ軸方向（水平方向）、すなわち、図１中、右上端の待機位置、左下側の薬袋受取位置、右側のバケット４への薬袋供給位置等にそれぞれ自由に移動することができる。また、ガイドプレート１５の片面には上下方向に所定間隔でガイドブロック２４が並設されている。さらに、ガイドプレート１５の下端部には、当接片２２が支軸２２ａを中心として回動自在に設けられている。当接片２２は、中央部を大きく切り欠かれ、両側部２２ｂのみが薬袋３に当接可能となっている。また、当接片２２の中央部には、チャックセンサ２３が設けられ、薬袋３が適切に保持されているか否かを検出可能となっている。押圧アーム１６は、支軸２６ａを中心として棒状のガイド部２６を回動自在に設けたものである。ガイド片２５は、前記ガイドブロック２４によってガイドされながら、図示しないモータの駆動により昇降する。ガイド部２６の先端には幅方向に延びる押圧部２７が設けられている。押圧部２７は、シリコンゴム等の薬袋３に対する摩擦係数が（少なくとも支持プレート９に比べて）大きな材料を円筒状とし、支軸２７ａを中心として回転可能に設けた構成となっている。また、押圧アーム１６は、図示しないスプリング等によって押圧部２７がガイドプレート１５側に圧接するように付勢されている。
なお、前記バケット４は、図１に示すように、コンベア装置２８によって搬送可能である。また、コンベア装置２８自体はスライドレール２９に沿って移動可能である。
次に、前記構成からなる薬袋移送装置１の動作について、図６のフローチャートに従って説明する。
電源をオンすると（ステップＳ１）、原点取りを行った後、定位置で待機する初期動作を行う（ステップＳ２）。すなわち、支持部材５を薬袋３の受取位置（図３（ａ）２点鎖線）に、保持部材６を図１中右上端の原点位置に、保持部材６の押圧アーム１６を上動位置にそれぞれ位置決めする。この状態で、図示しない袋詰め装置で注射剤２を収容した薬袋３を、前記受取位置に位置決めした支持部材５へと供給する（ステップＳ３）。
そして、図３に示すように、保持部材６を薬袋受取位置に移動させると共に（ステップＳ４）、支持部材５を受取位置から受渡位置に回動させる（ステップＳ５）。これにより、支持部材５に支持された薬袋３は、図３（ａ）に示すように、支持部材５の支持プレート９と保持部材６のガイドプレート１５との間に挟持される。このとき、薬袋３は、上端開口部から折り曲げ代を残して下方側を支持プレート９にガイドされ、上端開口部から折り曲げ代を越える範囲でガイドプレート１５にガイドされる。
所定時間（ここでは、１秒間）待機した後、押圧アーム１６を降下させることにより、図３（ｂ）に示すように、押圧部２７で薬袋３の折り曲げ代を支持プレート９に沿って折り曲げる（ステップＳ６）。押圧部２７が最下点まで移動すれば、保持部材６を上動させる（ステップＳ７）。薬袋３に対して作用する摩擦力は、支持部材５に比べて押圧部２７の方が十分に大きい。このため、図３（ｃ）、詳しくは図５の２点鎖線に示すように、保持部材６の上動に伴い、薬袋３に対して支持部材５が徐々に滑り、回動片１１が支軸１１ａを中心として回動する。回動片１１の回動により、徐々に回動片１１と薬袋３との接触面積が小さくなり、摩擦力が抑制されるので、薬袋３からスムーズに支持部材５（回動片１１）を脱落させることができる。この結果、薬袋３は、図３（ｄ）に示すように、折り曲げられた状態でガイドプレート１５と押圧部２７との間に挟持される。
続いて、保持部材６を水平方向に移動させ、バケット４の上方に位置させ（ステップＳ８）、薬袋３を、図４（ａ）に示すように、その下端部がバケット４の底面近傍に位置する排出位置まで下動させた後（ステップＳ９）、図４（ｂ）に示すように、支持部材５側に向かって徐々に水平移動させながら、下動させる（ステップＳ１０）。このとき、当接片２２が薬袋３に当接する。これにより、薬袋３は、折り曲げ側が下方となるように徐々に傾斜する。ここで、押圧アーム１６を上動させ、押圧部２７による薬袋３の保持状態を解除する（ステップＳ１１）。薬袋３は、前述のように傾斜しているので、図４（ｃ）に示すように、折り曲げ側がバケット４の底面（あるいは、既に収容された薬袋３）との間に位置し、開放されにくくなる。
以下、同様にしてバケット４に薬袋３を開口部を折り曲げた状態で移送して行くが、薬袋３を移送する毎に、保持部材６の移動位置を予め設定した位置情報に従って徐々に変更する。これにより、薬袋３は、順次、無駄なスペースを生じさせることなく、スムーズに折り曲げ側が挟まれた状態でバケット４内に収容される。
なお、前記実施形態では、保持部材６を図２に示す構成としたが、図７に示すように、ガイドプレート１５の下端部に傾斜面１５ａを形成し、押圧部２７を傾斜面１５ａまで可動させるようにしてもよい。これによれば、薬袋３を強制的に傾斜させることができ、バケット４への移送時に確実に折り曲げ部分を下方に向かわせることが可能となる。また、当接片２２は、前述の両側部を備えた構成に限らず、支軸３０ａを中心として回動自在に設けた板状体３０で構成してもよい。また、当接片２２（３０）の回動位置を検出するセンサ（図示せず）を設けるようにしてもよい。これによれば、例えば、薬袋３内に収容した注射剤２の数量が多い場合等、当接片２２（３０）の回動位置が通常時に比べて変化することをセンサで検出し、保持部材６の移動位置を補正することが可能となる。
また、前記実施形態では、前記薬袋３の上部を単に折り曲げるだけとしたが、前記薬袋３に部分的に接着剤等を塗布したり、ガイドプレート１５の一部を加熱して熱溶着することにより、折り曲げ状態を維持可能に構成しても構わない。
また、前記実施形態では、図１中、バケット４の左側から薬袋３を収容するようにしたが、右側から収容すれば、順次、次の薬袋３の注射剤２が収容された部分によって既に収容された薬袋３の折り曲げ部分が押えられ、より一層、収容状態が安定し、注射剤２が零れ出ることを確実に防止することが可能となる。また、このようにして薬袋３が収容されると、折り曲げ側が上方に突出することがないので、２段目にも薬袋３をスムーズに収容することができる。
（第２実施形態）
図８は、第２実施形態に係る薬袋移送装置の保持部材４１を示す。この保持部材４１では、Ｙ軸及びＸ軸方向に移動するガイドプレート４２に保持ガイド４３が昇降自在に設けられている。ガイドプレート４２の下部背面には当接片４４と弾性押圧片４５とが設けられている。当接片４４は、支軸４４ａを中心として回動自在に設けた板状体で、前記図７に示すものと同様に、回動位置はセンサ４６によって検出されるようになっている。弾性押圧片４５は、コイルスプリング４７の先端に樹脂製の突起４８を設けたもので、当接片４４のほぼ半分の長さでガイドプレート４２から下方に突出している。突起４８は、薬袋３に傷付けることがないように先端が半球状に形成されている。また、ガイドプレート４２の下端には、下方に向かうに従って背面側に傾斜する傾斜面４２ａが形成されている。保持ガイド４３はラック４９に噛合するピニオン５０をモータ５１によって回転駆動することにより昇降する。保持ガイド４３には、アーム保持部５２及び押圧アーム５３が支軸５４を中心として回動自在に設けられている。押圧アーム５３は、先端にシリコンゴムからなる略円柱状の押圧部５３ａを回転可能に備え、スプリング５５の付勢力によってアーム保持部５２に対して図中反時計回り方向に付勢されている。また、アーム保持部５２及び押圧アーム５３はモータ５６の駆動によりリンク５７ａ，５７ｂを介して回動する。
なお、前記押圧アーム５３の押圧部５３ａは、単に円柱状とするだけでなく、軸方向に所定間隔で全周に亘って円周溝を形成するのが好ましい。これによれば、押圧部５３ａで薬袋を保持した際の圧接力を円周溝のない部分に集中させることができると共に、薬袋内の空気を外部に逃がすことが可能となり、保持状態が安定する。
次に、前記構成の薬袋移送装置の動作について説明する。保持部材４１が支持部材５から薬袋を受け取るまでの動作は前記第１実施形態と同様であるので、ここでは図１２のフローチャートに従って保持部材４１の動作についてのみ説明する。
すなわち、薬袋を保持した保持部材４１は、上動し（ステップＳ２１）、右側に水平移動した後（ステップＳ２２）、図９に示す位置まで下動する（ステップＳ２３）。このとき、ガイドプレート４２に対して保持ガイド４３を下動させ（ステップＳ２４）、押圧部５３ａを傾斜面４２ａへと移動させる。そして、モータ５６を正転駆動させ、リンク５７ａ，５７ｂを介してアーム保持部５２及び押圧アーム５３を支軸５４を中心として反時計回り方向に回動させると共に（ステップＳ２５）、保持部材４１を左側に水平移動させながら下動させる（ステップＳ２６）。これにより、押圧部５３ａは傾斜面４２ａを超えて背面側へと移動し、薬袋３の折り曲げ状態が確実なものとなる。また、薬袋３自身は、図１０に示すように、傾斜することにより折り曲げ側がバケット４の底面側に位置する。ここで、モータ５６を逆転駆動させ、リンク５７ａ，５７ｂを介してアーム保持部５２及び押圧アーム５３を支軸５４を中心として時計回り方向に回動させる（ステップＳ２７）。さらに、保持部材４１を左側に水平移動させながら下動させる（ステップＳ２８）。これにより、薬袋３は当接片４４によってバケット４の底面との間に挟持されて位置ずれを防止された状態で、押圧アーム５３による保持状態を解除されるため、保持部材４１の移動に伴って弾性押圧片４５の突起４８による当接位置が薬袋３の折り曲げ位置側に移動する。この結果、図１１に示すように、薬袋３は弾性押圧片４５によって折り曲げ部分の広がりを確実に防止された状態で横向きとなる。その後、保持部材４１を上動させ（ステップＳ２９）、次の薬袋３の移送に備える。このようにしてバケット４内に移送された薬袋３では、折り曲げ部分が確実に下方に位置するので、バケット４の搬送中等に収容した注射薬２が零れ出ることがない。
（第３実施形態）
図１３は、第３実施形態に係る薬袋移送装置の保持部材６１を示す。この保持部材６１は、Ｘ軸及びＹ軸方向に移動するガイドプレート６２を備える。ガイドプレート６２には、所定間隔で第１支持板６３と第２支持板６４が並設されている。第１支持板６３には正逆回転駆動可能なモータ６５が取り付けられ、その回転軸には駆動ギア６６が固定されている。前記両支持板６３，６４には軸部材６７が回転自在に支持されている。
軸部材６７の一端部には、前記駆動ギア６６に噛合する従動ギア６８が一体化されている。また、軸部材６７の他端部には、円周上３箇所にマグネットからなる被検出部６９を有する被検出円板７０が固定されている。一方、第２支持板６４には、前記被検出部６９を検出するためのセンサ７１が設けられている。
また、軸部材６７の中央部には駆動円板７２が固定されている。駆動円板７２の外周部にはガイド軸７３が設けられ、両側に第１アーム７４と第２アーム７５とがそれぞれ配設されている。
第１アーム７４は一端側に長穴７６が形成され、前記ガイド軸７３が摺動自在に連結されている。第１アーム７４の他端部には第１連結軸７７が設けられ、その両端部にはワンウェイクラッチ７８を介して第１挟持アーム７９が回動可能に連結されている。ワンウェイクラッチ７８により、第１挟持アーム７９は、図中、時計回り方向には回転自在であるが、反時計回り方向には後述する第２挟持アーム８２の回動に追従するようになっている。第１挟持アーム７９の先端には第１挟持ローラ８０が回転可能に設けられている。
また、第２アーム７５は一端部を前記ガイド軸７３に回転自在に連結され、他端部には第２連結軸８１が設けられている。第２連結軸８１の両端部には第２挟持アーム８２の中間部が回動自在に連結されている。第２挟持アーム８２の一端部の支軸８２ａは、前記第１挟持アーム７９の一端側に回動可能に連結され、前記ワンウェイクラッチ７８に当接している。また、第２挟持アーム８２の他端部には第２挟持ローラ８３が回転可能に設けられ、前記第１挟持ローラ８０に対して相対的に接離して薬袋を挟持・開放可能となっている。
なお、第１挟持ローラ８０及び第２挟持ローラ８３には、ゴム等の弾性材料が使用されている。
次に、前記構成の保持部材６１の動作について説明する。
まず、前記第１実施形態と同様にして、保持部材６１を薬袋受取位置に移動させる。また、薬袋を供給された支持プレート９を傾斜した受取位置から起立した受渡位置に移動させる。このとき、モータ６５を駆動して駆動円板７２を反時計回り方向に回転させておき、図１４に示すように、両挟持ローラ８０，８３を接近させておく。そして、両挟持ローラ８０，８３を水平移動させ、薬袋の上方部を支持プレート９に沿って折り曲げ、両挟持ローラ８０，８３を支持プレート９の両側に位置するように降下させる。これにより、薬袋の上方部が２つ折りとなる。この状態で、保持部材６１を上昇させると、前記第１実施形態同様、回動片１１の回動により両挟持ローラ８０，８３の間に薬袋が挟持されて持ち上げられる。
支持プレート９から持ち上げた薬袋は、保持部材６１を水平移動させることによりバケット４の上方に移動させる。そして、図１５に示すように、保持部材６１を降下させた後、斜め下方に移動させる。
斜め下方に移動させる際、図１５（ｂ）に示すように、モータ６５を駆動して駆動円板７２を時計回り方向に回動させる。第１アーム７４では、ガイド軸７３が長穴７６をスライドするだけであるので回動せず、初期状態を維持する。一方、第２アーム７５では、駆動円板７２の回転に伴って上方に移動する。これにより、第２挟持アーム８２は第２連結軸８１を持ち上げられ、支軸８２ａを中心として反時計回り方向に回動する。また、支軸８２ａにはワンウェイクラッチ７８が当接しているため、第１挟持アーム７９は第２挟持アーム８２と共に反時計回り方向に回動する。したがって、第１挟持ローラ８０と第２挟持ローラ８３による薬袋の挟持状態が維持され、第１挟持アーム７９と第２挟持アーム８２のみが傾斜する。これにより、薬袋をバケット４の底面に載置する際、薬袋の２つ折りにされた部分を下方側に位置させた状態で傾斜させることができ、開口することを適切に防止することが可能である。
その後、モータ６５を駆動して駆動円板７２をさらに時計回り方向に回転させる。これにより、図１６に示すように、第２アーム７５のみならず第１アーム７４も上方に移動し、第１挟持アーム７９のワンウェイクラッチ７８と第２挟持アーム８２の支軸８２ａとの相対的な位置が変化し、最終的に図１７に示すように第１挟持ローラ８０に対して第２挟持ローラ８３が相対的に離れて開放する。この間、保持部材６１を水平方向に移動させ、薬袋から完全に離脱させる。
このように、前記保持部材６１によれば、薬袋を手で把持してバケット４内に収容するような自然な動作で行うことができ、確実に薬袋の開口部が開放され、内部の薬剤が零れ出ることを防止することが可能である。
【図面の簡単な説明】
図１は、本実施形態に係る薬袋移送装置を示す斜視図である。
図２は、図１の保持部材を示す斜視図である。
図３は、保持部材による支持部材からの移送動作を示す略図である。
図４は、保持部材によるバケットでの移送状態を示す略図である。
図５は、支持部材の上方部分を示す斜視図である。
図６は、移送処理を示すフローチャートである。
図７は、他の実施形態に係る保持部材を示す正面図である。
図８は、他の実施形態に係る保持部材を示す正面図である。
図９は、図８の保持部材による薬袋の移送状態を示す正面図である。
図１０は、図８の保持部材による薬袋の移送状態を示す正面図である。
図１１は、図８の保持部材による薬袋の移送状態を示す正面図である。
図１２は、図８の保持部材による移送制御を示すフローチャートである。
図１３は、他の実施形態に係る保持部材を示す側面図である。
図１４Ａは、図１３の保持部材による薬袋の移送状態を示す正面図である。
図１４Ｂは、図１４Ａでの保持部材の状態を示す部分側面図である。
図１５Ａは、図１３の保持部材による薬袋の移送状態を示す正面図である。
図１５Ｂは、図１５Ａでの保持部材の状態を示す部分側面図である。
図１６Ａは、図１３の保持部材による薬袋の移送状態を示す正面図である。
図１６Ｂは、図１６Ａでの保持部材の状態を示す部分側面図である。
図１７Ａは、図１３の保持部材による薬袋の移送状態を示す正面図である。
図１７Ｂは、図１７Ａでの保持部材の状態を示す部分側面図である。
【図１】
2003059744.tif 000003
【図２】
2003059744.tif 000004
【図３】
2003059744.tif 000005
【図４】
2003059744.tif 000006
【図５】
2003059744.tif 000007
【図６】
2003059744.tif 000008
【図７】
2003059744.tif 000009
【図８】
2003059744.tif 000010
【図９】
2003059744.tif 000011
【図１０】
2003059744.tif 000012
【図１１】
2003059744.tif 000013
【図１２】
2003059744.tif 000014
【図１３】
2003059744.tif 000015
【図１４Ａ】
2003059744.tif 000016
【図１４Ｂ】
2003059744.tif 000017
【図１５Ａ】
2003059744.tif 000018
【図１５Ｂ】
2003059744.tif 000019
【図１６Ａ】
2003059744.tif 000020
【図１６Ｂ】
2003059744.tif 000021
【図１７Ａ】
2003059744.tif 000022
【図１７Ｂ】
2003059744.tif 000023
【国際調査報告】
2003059744.tif 000024
2003059744.tif 000025